(57)【要約】【課題】複数の使用状況の各々に対応させて所定の時間管理を行い、これにより、複数の使用状況の各々にて適正に使用する。【解決手段】映像を投射してスクリーンに表示させるプロジェクター１００であって、当該プロジェクターの講演モード、研究発表モード及び上映モードなどの複数の使用モードのうちの何れか一を設定し、設定された使用モードにおける使用時間を管理する時間管理動作として、講演モード及び研究発表モードにおいて、制限使用時間の満了までの残時間を報知する残時間報知動作を実行し、上映モードにおいて、電源部１７から投射部１２に対する電源供給を停止する電源供給停止動作を実行する。【選択図】図２
2007178745.tif 000002
【特許請求の範囲】
【請求項１】
映像を投射する投射部を備え、前記投射部から投射された映像を被投影手段に表示させる投射型映像表示装置であって、
前記投射部に対して電源を供給する電源供給部と、
当該投射型映像表示装置の複数の使用モードのうちの何れか一を設定するモード設定手段と、
前記モード設定手段により設定された前記使用モードに従って、当該使用モードにおける使用時間を管理する時間管理動作を実行する時間管理動作実行手段と、を備え、
前記モード設定手段は、
前記使用モードとして、制限時間内での使用が求められる時間制限使用モードを設定する時間制限使用モード設定手段と、
前記使用モードとして、所定時間連続して使用する連続使用モードを設定する連続使用モード設定手段と、を備え、
前記時間管理動作実行手段は、
前記時間制限使用モード設定手段により設定される前記時間制限使用モードにおける制限使用時間を設定する制限使用時間設定手段と、
前記連続使用モード設定手段により設定される前記連続使用モードにおける連続使用時間を設定する連続使用時間設定手段と、
前記時間管理動作として、前記制限使用時間設定手段にて設定された前記制限使用時間の満了までの残時間を報知する残時間報知動作を行う残時間報知手段と、
前記時間制限使用モード設定手段により設定された前記時間制限使用モード、及び前記連続使用モード設定手段により設定された前記連続使用モードによる使用が開始されてからの使用時間を計時する計時手段と、
前記計時手段により計時される前記使用時間が、前記制限使用時間よりも所定時間前の前記残時間の報知時期を経過しているか否かを判定する報知時期判定手段と、
前記報知時期判定手段により前記報知時期を経過していると判定された場合に、前記残時間報知手段に前記残時間報知動作を実行させる残時間報知動作実行制御手段と、
前記計時手段により計時される前記使用時間が、前記連続使用時間設定手段にて設定された前記連続使用時間を経過しているか否かに基づいて、当該連続使用モードによる使用が終了しているか否かを判定する終了時間判定手段と、
前記終了時間判定手段により前記連続使用モードによる使用が終了していると判定された場合に、前記時間管理動作として、前記電源供給部から前記投射部に対する電源供給を停止する電源供給停止動作を実行させる電源供給停止動作実行制御手段と、を備え、
前記残時間報知手段は、
前記残時間を所定の発音にて報知する発音報知手段と、前記残時間を表示する残時間表示手段のうちの少なくとも何れか一方を備えることを特徴とする投射型映像表示装置。
【請求項２】
映像を投射して被投影手段に表示させる投射型映像表示装置であって、
当該投射型映像表示装置の複数の使用モードのうちの何れか一を設定するモード設定手段と、
前記モード設定手段により設定された前記使用モードに従って、当該使用モードにおける使用時間を管理する時間管理動作を実行する時間管理動作実行手段と、
を備えることを特徴とする投射型映像表示装置。
【請求項３】
前記モード設定手段は、前記使用モードとして、制限時間内での使用が求められる時間制限使用モードを設定する時間制限使用モード設定手段を備え、
前記時間管理動作実行手段は、
前記時間制限使用モード設定手段により設定される前記時間制限使用モードにおける制限使用時間を設定する制限使用時間設定手段と、
前記時間管理動作として、前記制限使用時間設定手段にて設定された前記制限使用時間の満了までの残時間を報知する残時間報知動作を行う残時間報知手段と、
前記時間制限使用モード設定手段により設定された前記時間制限使用モードによる使用が開始されてからの使用時間を計時する計時手段と、
前記計時手段により計時される前記使用時間が、前記制限使用時間よりも所定時間前の前記残時間の報知時期を経過しているか否かを判定する報知時期判定手段と、
前記報知時期判定手段により前記報知時期を経過していると判定された場合に、前記残時間報知手段に前記残時間報知動作を実行させる残時間報知動作実行制御手段と、を備えることを特徴とする請求項２に記載の投射型映像表示装置。
【請求項４】
前記時間管理動作実行手段は、
前記時間制限使用モードによる使用が開始されて所定時間経過後における実際の使用状況に係る実際使用状況情報と、前記制限使用時間設定手段により設定された前記制限使用時間に基づいて予め想定された前記所定時間経過後における使用状況に係る想定使用状況情報とに基づいて、使用の進捗状態を判定する進捗状態判定手段と、
前記進捗状態判定手段により判定された前記進捗状態を報知する進捗状態報知手段と、を備えることを特徴とする請求項３に記載の投射型映像表示装置。
【請求項５】
前記進捗状態報知手段は、前記進捗状態を所定の色表示にて報知する進捗状態色表示報知手段を備えることを特徴とする請求項４に記載の投射型映像表示装置。
【請求項６】
前記残時間報知手段は、前記残時間を所定の発音にて報知する発音報知手段を備えることを特徴とする請求項３〜５の何れか一項に記載の投射型映像表示装置。
【請求項７】
前記残時間報知手段は、前記残時間を表示する残時間表示手段を備えることを特徴とする請求項３〜５の何れか一項に記載の投射型映像表示装置。
【請求項８】
前記残時間報知手段は、前記残時間を所定の色表示にて報知する残時間色表示報知手段を備えることを特徴とする請求項３〜５の何れか一項に記載の投射型映像表示装置。
【請求項９】
映像を投射する投射部と、
前記投射部に対して電源を供給する電源供給部と、を備え、
前記モード設定手段は、前記使用モードとして、所定時間連続して使用する連続使用モードを設定する連続使用モード設定手段を備え、
前記時間管理動作実行手段は、
前記連続使用モード設定手段により設定される前記連続使用モードにおける連続使用時間を設定する連続使用時間設定手段と、
前記連続使用モード設定手段により設定された前記連続使用モードによる使用が開始されてからの使用時間を計時する計時手段と、
前記計時手段により計時される前記使用時間が、前記連続使用時間設定手段にて設定された前記連続使用時間を経過しているか否かに基づいて、当該連続使用モードによる使用が終了しているか否かを判定する終了時間判定手段と、
前記終了時間判定手段により前記連続使用モードによる使用が終了していると判定された場合に、前記時間管理動作として、前記電源供給部から前記投射部に対する電源供給を停止する電源供給停止動作を実行する電源供給停止動作実行制御手段と、を備えることを特徴とする請求項２に記載の投射型映像表示装置。
【請求項１０】
映像を投射する投射部と、
前記投射部に対して電源を供給する電源供給部と、を備え、
前記モード設定手段は、前記使用モードとして、所定時間連続して使用する連続使用モードを設定する連続使用モード設定手段を備え、
前記時間管理動作実行手段は、
前記連続使用モード設定手段により設定された前記連続使用モードにて、前記投射部から略同一の映像が所定時間投射されているか否かに基づいて、当該連続使用モードによる使用が終了しているか否かを判定する自動終了判定手段と、
前記自動終了判定手段により前記連続使用モードによる使用が終了していると判定された場合に、前記時間管理動作として、前記電源供給部から前記投射部に対する電源供給を停止する電源供給停止動作を実行させる電源供給停止動作実行制御手段と、を備えることを特徴とする請求項２に記載の投射型映像表示装置。
【発明の詳細な説明】
【技術分野】
【０００１】
本発明は、映像を投射してスクリーン等に表示させる投射型映像表示装置に関する。
【背景技術】
【０００２】
従来、光源から出射された光をＤＭＤ等の光学素子により変調し、光学レンズを通して投射することにより映像等をスクリーン上に表示するプロジェクターなどの投射型映像表示装置が知られている。
この投射型映像表示装置は、例えば、研究発表会にて複数の発表者が所定のスケジュールに従ってプレゼンテーション（研究発表）を行う際に用いられており、また、近年では、各発表者がそれぞれの制限時間内にその発表を収める目安とするために、映像とともに現在時刻、発表経過時間、残り時間等をスクリーンに投射して表示するものも開発されている（例えば、特許文献１参照。）。また、現在時刻や発表経過時間などを液晶表示したり、発光ダイオードを用いて表示するプロジェクターも開発されている（例えば、特許文献２参照）。
上記のようにして、プロジェクターの使用の際の時間管理を行うことにより、タイムキーパーが不要になり、また、発表者自身がペース配分を行う場合に、その負担軽減を図ることができるといった利点がある。
【特許文献１】特開２００１−１０９０６４号公報
【特許文献２】特開２００４−２９４７４３号公報
【発明の開示】
【発明が解決しようとする課題】
【０００３】
ところで、投射型映像表示装置は、上記のプレゼンテーションの他に、時間管理の必要な所定の講演会や上映会等でも用いられていることから、かかる使用状況でも、上記特許文献１や特許文献２等のように、時間管理を適正に行うことができる投射型映像表示装置が切望されている。
なお、各使用状況に特化した投射型映像表示装置を提供することは、投射型映像表示装置の生産性が低くなり、また、使用者にとって利便性が悪いといった問題が生じてしまう。
【０００４】
そこで、本発明の課題は、複数の使用状況の各々に対応させて所定の時間管理を行うことができ、これにより、複数の使用状況の各々にて適正に使用することができる投射型映像表示装置を提供することである。
【課題を解決するための手段】
【０００５】
上記課題を解決するため、請求項１に記載の発明は、
映像を投射する投射部を備え、前記投射部から投射された映像を被投影手段に表示させる投射型映像表示装置であって、
前記投射部に対して電源を供給する電源供給部と、
当該投射型映像表示装置の複数の使用モードのうちの何れか一を設定するモード設定手段と、
前記モード設定手段により設定された前記使用モードに従って、当該使用モードにおける使用時間を管理する時間管理動作を実行する時間管理動作実行手段と、を備え、
前記モード設定手段は、
前記使用モードとして、制限時間内での使用が求められる時間制限使用モードを設定する時間制限使用モード設定手段と、
前記使用モードとして、所定時間連続して使用する連続使用モードを設定する連続使用モード設定手段と、を備え、
前記時間管理動作実行手段は、
前記時間制限使用モード設定手段により設定される前記時間制限使用モードにおける制限使用時間を設定する制限使用時間設定手段と、
前記連続使用モード設定手段により設定される前記連続使用モードにおける連続使用時間を設定する連続使用時間設定手段と、
前記時間管理動作として、前記制限使用時間設定手段にて設定された前記制限使用時間の満了までの残時間を報知する残時間報知動作を行う残時間報知手段と、
前記時間制限使用モード設定手段により設定された前記時間制限使用モード、及び前記連続使用モード設定手段により設定された前記連続使用モードによる使用が開始されてからの使用時間を計時する計時手段と、
前記計時手段により計時される前記使用時間が、前記制限使用時間よりも所定時間前の前記残時間の報知時期を経過しているか否かを判定する報知時期判定手段と、
前記報知時期判定手段により前記報知時期を経過していると判定された場合に、前記残時間報知手段に前記残時間報知動作を実行させる残時間報知動作実行制御手段と、
前記計時手段により計時される前記使用時間が、前記連続使用時間設定手段にて設定された前記連続使用時間を経過しているか否かに基づいて、当該連続使用モードによる使用が終了しているか否かを判定する終了時間判定手段と、
前記終了時間判定手段により前記連続使用モードによる使用が終了していると判定された場合に、前記時間管理動作として、前記電源供給部から前記投射部に対する電源供給を停止する電源供給停止動作を実行させる電源供給停止動作実行制御手段と、を備え、
前記残時間報知手段は、
前記残時間を所定の発音にて報知する発音報知手段と、前記残時間を表示する残時間表示手段のうちの少なくとも何れか一方を備えることを特徴としている。
【０００６】
請求項２に記載の発明は、
映像を投射して被投影手段に表示させる投射型映像表示装置であって、
当該投射型映像表示装置の複数の使用モードのうちの何れか一を設定するモード設定手段と、
前記モード設定手段により設定された前記使用モードに従って、当該使用モードにおける使用時間を管理する時間管理動作を実行する時間管理動作実行手段と、
を備えることを特徴としている。
【０００７】
請求項３に記載の発明は、請求項２に記載の投射型映像表示装置において、
前記モード設定手段は、前記使用モードとして、制限時間内での使用が求められる時間制限使用モードを設定する時間制限使用モード設定手段を備え、
前記時間管理動作実行手段は、
前記時間制限使用モード設定手段により設定される前記時間制限使用モードにおける制限使用時間を設定する制限使用時間設定手段と、
前記時間管理動作として、前記制限使用時間設定手段にて設定された前記制限使用時間の満了までの残時間を報知する残時間報知動作を行う残時間報知手段と、
前記時間制限使用モード設定手段により設定された前記時間制限使用モードによる使用が開始されてからの使用時間を計時する計時手段と、
前記計時手段により計時される前記使用時間が、前記制限使用時間よりも所定時間前の前記残時間の報知時期を経過しているか否かを判定する報知時期判定手段と、
前記報知時期判定手段により前記報知時期を経過していると判定された場合に、前記残時間報知手段に前記残時間報知動作を実行させる残時間報知動作実行制御手段と、を備えることを特徴としている。
【０００８】
請求項４に記載の発明は、請求項３に記載の投射型映像表示装置において、
前記時間管理動作実行手段は、
前記時間制限使用モードによる使用が開始されて所定時間経過後における実際の使用状況に係る実際使用状況情報と、前記制限使用時間設定手段により設定された前記制限使用時間に基づいて予め想定された前記所定時間経過後における使用状況に係る想定使用状況情報とに基づいて、使用の進捗状態を判定する進捗状態判定手段と、
前記進捗状態判定手段により判定された前記進捗状態を報知する進捗状態報知手段と、を備えることを特徴としている。
【０００９】
請求項５に記載の発明は、請求項４に記載の投射型映像表示装置において、
前記進捗状態報知手段は、前記進捗状態を所定の色表示にて報知する進捗状態色表示報知手段を備えることを特徴としている。
【００１０】
請求項６に記載の発明は、請求項３〜５の何れか一項に記載の投射型映像表示装置において、
前記残時間報知手段は、前記残時間を所定の発音にて報知する発音報知手段を備えることを特徴としている。
【００１１】
請求項７に記載の発明は、請求項３〜５の何れか一項に記載の投射型映像表示装置において、
前記残時間報知手段は、前記残時間を表示する残時間表示手段を備えることを特徴としている。
【００１２】
請求項８に記載の発明は、請求項３〜５の何れか一項に記載の投射型映像表示装置において、
前記残時間報知手段は、前記残時間を所定の色表示にて報知する残時間色表示報知手段を備えることを特徴としている。
【００１３】
請求項９に記載の発明は、請求項２に記載の投射型映像表示装置において、
映像を投射する投射部と、
前記投射部に対して電源を供給する電源供給部と、を備え、
前記モード設定手段は、前記使用モードとして、所定時間連続して使用する連続使用モードを設定する連続使用モード設定手段を備え、
前記時間管理動作実行手段は、
前記連続使用モード設定手段により設定される前記連続使用モードにおける連続使用時間を設定する連続使用時間設定手段と、
前記連続使用モード設定手段により設定された前記連続使用モードによる使用が開始されてからの使用時間を計時する計時手段と、
前記計時手段により計時される前記使用時間が、前記連続使用時間設定手段にて設定された前記連続使用時間を経過しているか否かに基づいて、当該連続使用モードによる使用が終了しているか否かを判定する終了時間判定手段と、
前記終了時間判定手段により前記連続使用モードによる使用が終了していると判定された場合に、前記時間管理動作として、前記電源供給部から前記投射部に対する電源供給を停止する電源供給停止動作を実行する電源供給停止動作実行制御手段と、を備えることを特徴としている。
【００１４】
請求項１０に記載の発明は、請求項２に記載の投射型映像表示装置において、
映像を投射する投射部と、
前記投射部に対して電源を供給する電源供給部と、を備え、
前記モード設定手段は、前記使用モードとして、所定時間連続して使用する連続使用モードを設定する連続使用モード設定手段を備え、
前記時間管理動作実行手段は、
前記連続使用モード設定手段により設定された前記連続使用モードにて、前記投射部から略同一の映像が所定時間投射されているか否かに基づいて、当該連続使用モードによる使用が終了しているか否かを判定する自動終了判定手段と、
前記自動終了判定手段により前記連続使用モードによる使用が終了していると判定された場合に、前記時間管理動作として、前記電源供給部から前記投射部に対する電源供給を停止する電源供給停止動作を実行させる電源供給停止動作実行制御手段と、を備えることを特徴としている。
【発明の効果】
【００１５】
請求項１に記載の発明によれば、複数の使用モードのうちの何れか一を設定して、設定された使用モードに従って、当該使用モードにおける使用時間を管理する時間管理動作を実行することができるので、複数の使用状況の各々に対応させて所定の時間管理を行うことができることとなって、これにより、複数の使用状況の各々にて適正に使用することができる。
即ち、時間制限使用モードにおける使用が開始されてからの使用時間が、予め設定された制限使用時間よりも所定時間前であって、当該制限使用時間の満了までの残時間の報知時期を経過しているか否かを判定して、報知時期を経過していると判定された場合に、残時間報知動作を実行することができるので、制限時間内での使用が求められる時間制限使用モードにおいて、報知される残時間に応じてユーザが適正にペース配分することができることとなる。このように、当該時間制限使用モードにおける時間管理を適正に行うことができる。
ここで、制限使用時間の満了までの残時間を所定の発音にて報知することができるので、ユーザに残時間をより容易に把握させることができる。また、制限使用時間の満了までの残時間を表示することができるので、ユーザに残時間をより容易に把握させることができる。さらに、残時間を表示する場合、例えば、発音にて残時間を報知する場合に比べて、ユーザ以外の第三者に残時間が知られる虞が少なくなることから、ユーザにとってより魅力的な投射型映像表示装置を提供することができる。
また、連続使用モードによる使用が開始されてからの使用時間が、予め設定された連続使用時間を経過しているか否かに基づいて、当該連続使用モードによる使用が終了しているか否かを判定して、連続使用モードによる使用が終了していると判定された場合に、電源供給部から投射部に対する電源供給を停止する電源供給停止動作を実行することができるので、連続使用時間経過後にユーザ自身が所定の操作を行わずとも、電源供給停止動作を実行することができ、これにより、電源供給部から投射部に対する電源供給が停止されることとなる。従って、連続使用モードにおける時間管理を適正に行うことができる。
【００１６】
請求項２に記載の発明によれば、複数の使用モードのうちの何れか一を設定して、設定された使用モードに従って、当該使用モードにおける使用時間を管理する時間管理動作を実行することができるので、複数の使用状況の各々に対応させて所定の時間管理を行うことができることとなって、これにより、複数の使用状況の各々にて適正に使用することができる。
【００１７】
請求項３に記載の発明によれば、請求項２に記載の発明と同様の効果が得られるのは無論のこと、特に、時間制限使用モードにおける使用が開始されてからの使用時間が、予め設定された制限使用時間よりも所定時間前であって、当該制限使用時間の満了までの残時間の報知時期を経過しているか否かを判定して、報知時期を経過していると判定された場合に、残時間報知動作を実行することができるので、制限時間内での使用が求められる時間制限使用モードにおいて、報知される残時間に応じてユーザが適正にペース配分する連とができることとなる。このように、当該時間制限使用モードにおける時間管理を適正に行うことができる。
【００１８】
請求項４に記載の発明によれば、請求項３に記載の発明と同様の効果が得られるのは無論のこと、特に、時間制限使用モードにおける使用の進捗状態を判定し、その進捗状態を報知することができるので、時間制限使用モードにおいて、進捗状態に応じてユーザが適正にペース配分することができることとなって、当該時間制限使用モードにおける時間管理をより適正に行うことができる。
【００１９】
請求項５に記載の発明によれば、請求項４に記載の発明と同様の効果が得られるのは無論のこと、特に、進捗状態を所定の色表示にて報知することができるので、ユーザに進捗状態をより容易に把握させることができるとともに、ユーザ以外の第三者にとっては、進捗状態を報知していることを分かり難くさせることができる。
【００２０】
請求項６に記載の発明によれば、請求項３〜５に記載の発明と同様の効果が得られるのは無論のこと、特に、制限使用時間の満了までの残時間を所定の発音にて報知することができるので、ユーザに残時間をより容易に把握させることができる。
【００２１】
請求項７に記載の発明によれば、請求項３〜５に記載の発明と同様の効果が得られるのは無論のこと、特に、制限使用時間の満了までの残時間を表示することができるので、ユーザに残時間をより容易に把握させることができる。また、例えば、発音にて残時間を報知する場合に比べて、ユーザ以外の第三者に残時間が知られる虞が少なくなることから、ユーザにとってより魅力的な投射型映像表示装置を提供することができる。
【００２２】
請求項８に記載の発明によれば、請求項３〜５に記載の発明と同様の効果が得られるのは無論のこと、特に、制限使用時間の満了までの残時間を所定の色表示にて報知することができるので、ユーザに残時間をより容易に把握させることができる。特に、残時間を数字にて報知する場合に比べて、当該数字を注視せずとも残時間の把握を簡便に行うことができる。
【００２３】
請求項９に記載の発明によれば、請求項２に記載の発明と同様の効果が得られるのは無論のこと、特に、連続使用モードによる使用が開始されてからの使用時間が、予め設定された連続使用時間を経過しているか否かに基づいて、当該連続使用モードによる使用が終了しているか否かを判定して、連続使用モードによる使用が終了していると判定された場合に、電源供給部から投射部に対する電源供給を停止する電源供給停止動作を実行することができるので、連続使用時間経過後にユーザ自身が所定の操作を行わずとも、電源供給停止動作を実行することができ、これにより、電源供給部から投射部に対する電源供給が停止されることとなる。従って、連続使用モードにおける時間管理を適正に行うことができる。
【００２４】
請求項１０に記載の発明によれば、請求項２に記載の発明と同様の効果が得られるのは無論のこと、特に、連続使用モードにて、投射部から略同一の映像が所定時間投射されているか否かに基づいて、当該連続使用モードによる使用が終了しているか否かを判定して、連続使用モードによる使用が終了していると判定された場合に、電源供給部から投射部に対する電源供給を停止する電源供給停止動作を実行することができるので、連続使用時間経過後にユーザ自身が所定の操作を行わずとも、所定のタイミングで自動的に電源供給停止動作を実行することができ、これにより、電源供給部から投射部に対する電源供給が停止されることとなる。従って、連続使用モードにおける時間管理を適正に行うことができる。
また、連続使用モードにおける連続使用時間を予め入力する必要がないため、ユーザの操作負担をより軽減することができ、より魅力的な投射型映像表示装置を提供することができる。
【発明を実施するための最良の形態】
【００２５】
以下に、本発明について、図面を用いて具体的な態様を説明する。ただし、発明の範囲は、図示例に限定されない。
【００２６】
［実施形態１］
図１は、本発明を適用した投射型映像表示装置の好適な一例として例示する実施形態１のプロジェクター１００を示す斜視図であり、図２は、プロジェクター１００の要部構成を示すブロック図である。
なお、図１にあっては、プロジェクター本体１のみを図示しており、リモートコントローラ２の図示は省略している。
【００２７】
実施形態１のプロジェクター（投射型映像表示装置）１００は、例えば、パーソナルコンピュータやピデオカメラ等の外部機器（図示略）から入力された画像データに基づいて画像を形成し、当該画像を前方に設けられたスクリーン（被投影手段；図示略）などに拡大して投影する装置であり、具体的には、図１及び図２に示すように、プロジェクター本体１と、このプロジェクター本体１を遠隔操作するためのリモートコントローラ２（「リモコン；図２参照」とを備えて構成されている。
【００２８】
先ず、プロジェクター本体１について説明する。
プロジェクター本体１は、外部機器から出力された画像データが入力される画像入力部１１と、画像入力部１１を介して入力された画像データに基づいて画像（映像）をスクリーンに投射する投射部１２と、各種操作が行われる操作部１３と、当該プロジェクター１００の使用の際に使用時間を計時するタイマ１４と、使用満了までの残時間を報知する残時間報知部１５と、リモコン２から送信された信号を受信する信号受信部１６と、各部に対する電源を供給するための電源部１７と、ＲＯＭ１８と、ＲＡＭ１９と、ＣＰＵ１０等を備えている。
【００２９】
画像入力部１１は、例えば、パーソナルコンピュータやピデオカメラ等の外部機器と電気的に接続され、当該外部機器から出力され、投射部１２によりスクリーンに投射される映像の画像データが入力されるようになっている。
また、画像入力部１１は、画像データが入力されると、当該画像データをＣＰＵ１０に対して出力するようになっている。
【００３０】
投射部１２は、例えば、高輝度の光を出射する光源ランプ１２１と、光源ランプ１２１から出射された光を反射する反射ミラー１２２と、反射ミラー１２２により反射された光が入射されるＤＭＤ（Digital Micromirror Device）１２３と、ＤＭＤ１２３により反射された光が通過する光学レンズ１２４とを備えて構成されている。
光源ランプ１２１は、例えば、メタルハライドランプや超高圧水銀ランプ等から構成され、ＤＭＤ１２３により光学変調される光を出射するものである。
ＤＭＤ１２３は、例えば、光源ランプ１２１から出射され反射ミラー１２２にて反射されることで入射された光を画像情報に応じて変調することにより光学像を形成する光学変調素子として機能する。
光学レンズ１２４は、例えば、ズームレンズ等により構成され、ＤＭＤ１２３によって変調された光（光学像）を集光してスクリーンなどに拡大投影するものである。
【００３１】
操作部１３は、例えば、プロジェクター１００の複数の使用モードの何れか一を設定するためのモード設定スイッチ１３１と、設定された使用モードに応じた使用時間を設定するための時間設定スイッチ１３２と、残時間報知動作としての液晶表示部１５１における残時間の液晶表示と発音部１５２からのチャイムの発音とを設定する残時間報知動作設定スイッチ１３３等を備えている。
【００３２】
モード設定スイッチ１３１は、例えば、プロジェクター本体１の上面に設けられ、使用モードとして、講演モードを設定するための講演モード設定スイッチ１３ａと、研究発表モードを設定するための研究発表モード設定スイッチ１３ｂと、上映モードを設定するための上映モード設定スイッチ１３ｃ等を備えている（図１参照）。
ここで、講演モード及び研究発表モードは、制限時間内での講演者による講演や発表者による発表が求められる使用モード（時間制限使用モード）であり、講演モード設定スイッチ１３ａ及び研究発表モード設定スイッチ１３ｂは、時間制限使用モード設定手段を構成している。
また、上映モードは、例えば、映画に係る映像などを所定時間連続して投射する使用モード（連続使用モード）であり、上映モード設定スイッチ１３ｃは、連続使用モード設定手段を構成している。
【００３３】
時間設定スイッチ１３２は、例えば、設定される時間の増減を入力指示したり、指示された時間を確定するための所定のスイッチを備えている。
具体的には、時間設定スイッチ１３２は、制限使用時間設定手段として、ユーザによる講演モード設定スイッチ１３ａ又は研究発表モード設定スイッチ１３ｂの所定操作に基づいて講演モード又は研究発表モードが設定されている場合に、当該講演又は研究発表の制限使用時間の設定するようになっている。
また、時間設定スイッチ１３２は、連続使用時間設定手段として、ユーザによる上映モード設定スイッチ１３ｃの所定操作に基づいて上映モードが設定されている場合に、上映時間に基づいて規定される連続使用時間を設定するようになっている。
【００３４】
残時間報知動作設定スイッチ１３３は、例えば、残時間の報知時期毎に、液晶表示部１５１における残時間の液晶表示と発音部１５２からのチャイムの発音との残時間報知動作を設定可能となっている。即ち、残時間報知動作設定スイッチ１３３の所定操作に基づく残時間報知動作の設定は、例えば、時間設定スイッチ１３２の所定操作に基づく制限使用時間の設定の際に行うことができるようになっている。
【００３５】
タイマ１４は、計時手段として、例えば、計時回路を備え、講演モード、研究発表モード及び上映モードによる使用が開始されてからの使用時間を計時するものである。
【００３６】
ＣＰＵ（Central Processing Unit）１０は、プロジェクター１００の各部を統括的に制御するものであり、ＲＯＭ１８に記憶されている各種プログラムを読み出してＲＡＭ１９の作業領域に展開し、当該プログラムに従って各種処理を実行するようになっている。
具体的には、ＣＰＵ１０は、ＲＯＭ１８から読み出された各種プログラムの実行に基づいて、モード設定スイッチ１３１により設定された講演モード、研究発表モード及び上映モードなどの使用モードに従って、講演モード及び研究発表モードにおける残時間報知部１５による残時間報知動作（後述）や上映モードにおける電源供給停止動作（後述）などの各使用モードにおけるプロジェクター１００の使用時間を管理する時間管理動作の実行を制御するようになっている。ここで、ＣＰＵ１０は、後述するように、タイマ１４、残時間報知部１５及び電源部１７と協働して、時間管理動作実行手段を構成している。
【００３７】
ＲＡＭ（Random Access Memory）１９は、例えば、書き換え可能なメモリであり、ＣＰＵ１０の制御下にてＲＯＭ１８から読み出されたプログラムや各種データ等の格納領域や作業領域等を構成している。
【００３８】
ＲＯＭ（Read Only Memory）１８は、例えば、データの読み出し専用のメモリであり、ＣＰＵ１０の制御下にて実行される各種プログラム、各プログラムの処理に係るデータ等を記憶している。
具体的には、ＲＯＭ１８は、例えば、報知時期判定プログラム１８ａ、残時間報知動作実行制御プログラム１８ｂ、終了時間判定プログラム１８ｃ、電源供給停止動作実行制御プログラム１８ｄ等を記憶している。
【００３９】
報知時期判定プログラム１８ａは、ＣＰＵ１０に、報知時期判定手段として、タイマ１４により計時される当該プロジェクター１００の使用時間が、ユーザによる時間設定スイッチ１３２の所定操作に基づいて設定された講演又は研究発表の制限使用時間よりも所定時間前における当該制限時間の満了までの残時間の報知時期を経過しているか否かを判定する報知時期判定処理に係る機能を実現させるためのプログラムである。
具体的には、ＣＰＵ１０による報知時期判定プログラム１８ａの実行に基づいて、タイマ１４により計時される当該プロジェクター１００の使用時間が、講演モードにあっては、制限使用時間の満了の５分前となる報知時期を、また、研究発表モードにあっては制限使用時間の満了の１０分前及び５分前となる報知時期をそれぞれ経過しているか否かを判定するようになっている。
なお、報知時期は、例えば、操作部１３の所定操作に基づいて変更可能に構成されても良い。これにより、使用モードに応じて報知時期の設定をより適正に、且つ、より柔軟に行うことができる魅力的なプログラム１００を提供することができる。
【００４０】
残時間報知動作実行制御プログラム１８ｂは、ＣＰＵ１０に、残時間報知動作実行制御手段として、報知時期判定処理にて使用時間が報知時期を経過していると判定された場合に、残時間報知部１５に制限使用時間の満了までの残時間を報知させる残時間報知動作を実行させる処理に係る機能を実現させるためのプログラムである。
具体的には、ＣＰＵ１０による残時間報知動作実行制御プログラム１８ｂの実行に基づいて、液晶表示部１５１に制限使用時間の満了までの残時間を表示させるか、発音部１５２に制限使用時間の満了までの残時間をチャイムなどを発音させて報知させるようになっている。
【００４１】
終了時間判定プログラム１８ｃは、ＣＰＵ１０に、終了時間判定手段として、タイマ１４により計時される当該プロジェクター１００の使用時間が、ユーザによる時間設定スイッチ１３２の所定操作に従って設定された連続使用時間を経過しているか否かに基づいて、上映モードによる使用が終了しているか否かを判定する終了時間判定処理に係る機能を実現させるためのプログラムである。
具体的には、ＣＰＵ１０による終了時間判定プログラム１８ｃの実行に基づいて、使用時間が設定された連続使用時間を経過している場合に、上映モードによる使用が終了していると判定し、使用時間が連続使用時間を経過していない場合に、上映モードによる使用が未だ終了していないと判定するようになっている。
【００４２】
電源供給停止動作実行制御プログラム１８ｄは、ＣＰＵ１０に、電源供給停止動作実行制御手段として、終了時間判定処理にて連続使用モードによる使用が終了していると判定された場合に、電源部１７から投射部１２に対する電源供給を停止する電源供給停止動作を実行させる処理に係る機能を実現させるためのプログラムである。
具体的には、ＣＰＵ１０による電源供給停止動作実行制御プログラム１８ｄの実行に基づいて、終了時間判定処理にて連続使用モードによる使用が終了していると判定された場に、電源部１７から当該プログラム１００の各部に対する電源供給を停止（電源０ＦＦ）するようになっている。
【００４３】
残時間報知部１５は、残時間報知手段として、制限使用時間が満了するまでの残時間を報知する残時間報知動作を実行するものであり、具体的には、残時間を液晶表示する液晶表示部（残時間表示手段）１５１と、残時間を所定の発音にて報知する発音部（発音報知手段）１５２等を備えている。
【００４４】
液晶表示部１５１は、例えば、プロジェクター本体１の上面のモード設定スイッチ１３１よりも奥側に設けられ、所定の時間情報を表示する略矩形状の表示画面１５ａと、この表示画面１５ａに表示された時間情報を投射方向側（手前側）に反射する反射部材１５ｂとを備えて構成されている。
【００４５】
反射部材１５ｂは、例えば、鏡などから構成され、表示画面１５ａの奥側の縁部に沿う方向の軸心周りに回動自在に取り付けられている。これにより、表示画面１５ａに表示された時間情報を投射方向側に反射することができるようになっている。
なお、反射部材１５ｂは、表示画面１５ａ側に回動させられることで当該表示画面１５ａを被覆することができるようにしても良く、これにより、表示画面１５ａを適正に保護 することができることとなる。
【００４６】
また、表示画面１５ａには、バックライト（図示省略）が備えられても良く、これにより、画像投射が行われる暗い環境であっても表示画面１５ａに表示された時間情報の視認を適正に行うことができることとなる。
【００４７】
発音部１５２は、例えば、チャイムなどの所定の音データに基づいて、スピーカからチャイムなどを発音するものである。
【００４８】
信号受信部１６は、リモコン２の信号送信部２３から送信された所定の信号を受信するものである。また、信号受信部１６は、受信した所定の指示信号をＣＰＵ１０に対して出力するようになっている。
【００４９】
電源部（電源供給部）１７は、ＣＰＵ１０の制御下にて、当該プロジェクター本体１を構成する各部に電力を供給するものである。
【００５０】
次に、リモコン２について説明する。
リモコン２は、制御部２１と、プロジェクター本体１の所定操作を行うための操作スイッチ２２と、当該リモコン２の所定操作に基づいて出力される所定の信号を送信する信号送信部２３等を備えている。
【００５１】
制御部２１は、例えば、ＣＰＵ１０、メモリ等から構成されており、当該リモコン２の各部を統括的に制御するようになっている。
信号送信部２３は、例えば、ユーザによる操作スイッチ２２の所定操作に基づいて、制御部２１の制御下にて所定の指示信号を送信するようになっている。
【００５２】
なお、リモコン２とプロジェクター本体１との情報通信は、例えば、無線通信方式にて行うようにしても良いし、有線通信方式にて行うようにしても良い。
【００５３】
次に、プロジェクター１００の使用方法について、図３〜図６を参照して説明する。
本実施形態のプロジェクター１００にあっては、先ず、モード設定処理（図３参照）にて使用モードを設定した後、設定された使用モードに応じた処理（図４〜図６参照）を行うようになっている。
【００５４】
先ず、モード設定処理について図３を参照して説明する。
ここで、図３は、プロジェクター１００によるモード設定処理に係る動作の一例を示すフローチャートである。
【００５５】
図３に示すように、モード設定処理にあっては、先ず、プロジェクター１００の電源投入後に、ユーザによる講演モード設定スイッチ１３ａ、研究発表モード設定スイッチ１３ｂ及び上映モード設定スイッチ１３ｃのうちの何れか一のスイッチの操作に基づいて、所定の使用モードが設定されると（ステップＳ１）、ＣＰＵ１０は、ＲＯＭ１８から読み出した所定の制御プログラムの実行に基づいて、液晶表示部１５１の表示画面１５ａを制御して各使用モードに応じた所定の時間入力画面を表示させる（ステップＳ２）。
即ち、ＣＰＵ１０は、表示画面１５ａに、講演モードや研究発表モードにあっては、講演や研究発表の制限使用時間の入力画面を表示させ、また、上映モードにあっては、連続使用時間の入力画面を表示させる。
【００５６】
そして、ユーザによる時間設定スイッチ１３２の所定操作に基づいて所定の時間が入力され、当該時間が確定されると（ステップＳ３；ＹＥＳ）、ＣＰＵ１０は、ＲＯＭ１８から読み出した所定の制御プログラムの実行に基づいて、タイマ１４を制御して計時を開始させる（ステップＳ４）。
【００５７】
続けて、ＣＰＵ１０の制御下にて、ステップＳ１にて設定された使用モードに応じて分岐して各処理を行う（ステップＳ５）。即ち、ステップＳ１にて講演モード処理が設定されている場合には、講演モード処理を実行し（ステップＳ５１）、また、研究発表モード処理が設定されている場合には、研究発表モード処理を実行し（ステップＳ５２）、また、上映モード処理が設定されている場合には、上映モード処理を実行する（ステップＳ５３）。
【００５８】
次に、講演モード処理について図４を参照して説明する。
ここで、図４は、講演モード処理に係る動作の一例を示すフローチャートである。
【００５９】
図４に示すように、講演モード処理にあっては、ＣＰＵ１０は、ＲＯＭ１８から報知時期判定プログラム１８ａを読み出してＲＡＭ１９に展開し、この報知時期判定プログラム１８ａの実行に基づいて、タイマ１４により計時される当該プロジェクター１００の使用時間が、講演の制限使用時間よりも５分前の残時間の報知時期を経過しているか否かを判定する報知時期判定処理を行う（ステップＳ５１１）。
【００６０】
ここで、残時間の報知時期を経過していると判定されると（ステップＳ５１１；ＹＥＳ）、ＣＰＵ１０は、ＲＯＭ１８から残時間報知動作実行制御プログラム１８ｂを読み出してＲＡＭ１９に展開し、この残時間報知動作実行制御プログラム１８ｂの実行に基づいて、残時間報知動作としての発音部１５２からのチャイムの発音が指示されているか否かに応じて、発音部１５２から制限使用時間の５分前であることを表すチャイムを発音させるか、液晶表示部１５１に制限使用時間の５分前を表示させる。
即ち、ＣＰＵ１０は、残時間報知動作として発音部１５２からのチャイムの発音が指示されているか否かを判定し（ステップＳ５１２）、発音部１５２からのチャイムの発音が指示されている場合には（ステップＳ５１２；ＹＥＳ）、発音部１５２を制御して、所定のチャイムを発音させ（ステップＳ５１３）、一方、発音部１５２からのチャイムの発音が指示されていない場合には（ステップＳ５１２；ＮＯ）、液晶表示部１５１に制限使用時間の５分前を表示させる（ステップＳ５１４）。
これにより、講演モード処理を終了する。
【００６１】
次に、研究発表モード処理について図５を参照して説明する。
ここで、図５は、研究発表モード処理に係る動作の一例を示すフローチャートである。
【００６２】
図５に示すように、研究発表モード処理にあっては、ＣＰＵ１０は、ＲＯＭ１８から報知時期判定プログラム１８ａを読み出してＲＡＭ１９に展開し、この報知時期判定プログラム１８ａの実行に基づいて、タイマ１４により計時される当該プョジエクター１００の使用時間が、研究発表の制限使用時簡よりも１０分前の残時間の報知時期を経過しているか否かを判定する報知時斯判定処理を行う（ステップＳ５２１）。
【００６３】
ここで、残時間の報知時期を経過していると判定されると（ステップＳ５２１；ＹＥＳ）、ＣＰＵ１０は、ＲＯＭ１８から残時間報知動作実行制御プログラム１８ｂを読み出してＲＡＭ１９に展開し、この残時間報知動作実行制御プログラム１８ｂの実行に基づいて、発音部１５２からのチャイムの発音が指示されているか否かに応じて、発音部１５２から制限使用時間の１０分前であることを表すチャイムを発音させるか、液晶表示部１５１に制限使用時間の１０分前を表示させる。
即ち、ＣＰＵ１０は、残時間報知動作として発音部１５２からのチャイムの発音が指示されているか否かを判定し（ステップＳ５２２）、発音部１５２からのチャイムの発音が指示されている場合には（ステップＳ５２２；ＹＥＳ）、発音部１５２を制御して、制限使用時間の１０分前を表す所定のチャイムを発音させ（ステップＳ５２３）、一方、発音部１５２からのチャイムの発音が指示されていない場合には（ステップＳ５２２；ＮＯ）、液晶表示部１５１に制限使用時間の１０分前を表示させる（ステップＳ５２４）。
【００６４】
続けて、ＣＰＵ１０は、ステップＳ５２１と同様に、ＲＯＭ１８から読み出された報知時期判定プログラム１８ａの実行に基づいて、タイマ１４により計時される当該プロジェクター１００の使用時間が、研究発表の制限使用時間よりも５分前の残時間の報知時期を経過しているか否かを判定する報知時期判定処理を行う（ステップＳ５２５）。
【００６５】
ここで、残時間の報知時期を経過していると判定されると（ステップＳ５２５；ＹＥＳ）、ＣＰＵ１０は、ステップＳ５２２〜Ｓ５２４と同様に、ＲＯＭ１８から読み出された残時間報知動作実行制御プログラム１８ｂの実行に基づいて、発音部１５２からのチャイムの発音が指示されているか否かを判定し（ステップＳ５２６）、発音部１５２からのチャイムの発音が指示されている場合には（ステップＳ５２６；ＹＥＳ）、発音部１５２を制御して、制限使用時間の５分前を表す所定のチャイムを発音させ（ステップＳ５２７）、一方、発音部１５２からのチャイムの発音が指示されていない場合には（ステップＳ５２６；ＮＯ）、液晶表示部１５１に制限使用時間の５分前を表示させる（ステップＳ５２８）。
これにより、研究発表モード処理を終了する。
【００６６】
次に、上映モード処理について図６を参照して説明する。
ここで、図６は、上映モード処理に係る動作の一例を示すフローチャートである。
【００６７】
図６に示すように、上映モード処理にあっては、ＣＰＵ１０は、ＲＯＭ１８から終了時間判定プログラム１８ｃを読み出してＲＡＭ１９に展開し、この終了時間判定プログラム１８ｃの実行に基づいて、タイマ１４により計時される当該プロジェクター１００の使用時間が、設定された連続使用時間を経過しているか否かを判定する終了時間判定処理を行う（ステップＳ５３１）。
ここで、連続使用時間を経過していると判定されると（ステップＳ５３１；ＹＥＳ）、ＣＰＵ１０は、ＲＯＭ１８から電源供給停止動作実行制御プログラム１８ｄを読み出してＲＡＭ１９に展開し、この電源供給停止動作実行制御プログラム１８ｄの実行に基づいて、電源部１７を制御して、当該電源部１７から当該プロジェクター１００の各部に対する電源供給を停止させる（ステップＳ５３２）。
これにより、上映モード処理を終了する。
【００６８】
以上のように、実施形態１のプロジェクター１００によれば、講演モード、研究発表モード及び上映モードなどの複数の使用モードのうちの何れか一を設定して、設定された使用モードに従って、当該使用モードにおける使用時間を管理する時間管理動作を実行することができるので、複数の使用状況の各々に対応させて所定の時間管理を行うことができることとなって、これにより、複数の使用状況の各々にて適正に使用することができる。
即ち、講演モードや研究発表モードにおける使用が開始されてからの使用時間が、予め設定された制限使用時間の満了までの残時間の報知時期を経過しているか否かを判定して、報知時期を経過していると判定された場合に、残時間報知動作を実行することができるので、制限時間内での使用が求められる講演モードや研究発表モードにおいて、報知される残時間に応じて、講演や研究発表にてユーザが適正にペース配分することができることとなる。このように、当該講演モードや研究発表モードにおける時間管理を適正に行うことができる。
ここで、残時間を発音部１５２からチャイムなどの所定の発音にて報知することができるので、ユーザに残時間をより容易に把握させることができる。
また、残時間を液晶表示部１５１に表示することができるので、ユーザに残時間をより容易に把握させることができる。このとき、例えば、発音部１５２からの発音にて残時間を報知する場合に比べて、ユーザ以外の第三者に残時間が知られる虞が少なくなることから、ユーザにとってより魅力的なプロジェクター１００を提供することができる。
また、上映モードによる使用が開始されてからの使用時間が、予め設定された連続使用時間を経過しているか否かに基づいて、当該上映モードによる使用が終了しているか否かを判定して、上映モードによる使用が終了していると判定された場合に、電源部１７から投射部１２に対する電源供給を停止する電源供給停止動作を実行することができるので、連続使用時間経過後にユーザ自身が所定の操作を行わずとも、電源供給停止動作を実行することができ、これにより、電源部１７から投射部１２に対する電源供給が停止されることとなる。従って、上映モードにおける時間管理を適正に行うことができる。
【００６９】
［実施形態２］
以下に、実施形態２のプロジェクター２００ついて、図７〜図９を参照して説明する。
ここで、図７は、本発明を適用した投射型映像表示装置の好適な一例として例示する実施形態２のプロジェクター２００を示す斜視図であり、図８は、プロジェクター２００の要部構成を示すブロック図である。
なお、実施形態２のプロジェクター２００を構成する各部のうち、上記実施形態１と同様の構成には同一の符号を付してその説明を省略するものとする。
【００７０】
実施形態２のプロジェクター２００は、講演モードや研究発表モードにおける使用の進捗状態を判定する進捗状態判定処理を行って、その判定結果に従って当該進捗状態をユーザに報知するようになっている。
即ち、ＲＯＭ２１８に記憶されている進捗状態判定プログラム１８ｅは、ＣＰＵ１０に、進捗状態判定手段として、講演モード又は研究発表モードによる使用が開始されて所定時間経過後における実際の使用状況に係る実際使用状況情報と、時間設定スイッチ１３２により設定された制限使用時間に基づいて予め想定された所定時間経過後における使用状況に係る想定使用状況情報とに基づいて、使用の進捗状態を判定する進捗状態判定処理に係る機能を実現させるためのプログラムである。
即ち、例えば、講演や研究発表の前の予行練習に際して、使用開始から所定時間経過後に投射部１２から投射される画像データに係る想定使用状況情報をＲＡＭ１９などの所定の記憶手段に記憶しておく。そして、ＣＰＵ１０は、進捗状態判定プログラム１８ｅの実行に基づいて、講演モード又は研究発表モードによる使用が開始された後、想定使用状況情報に係る画像データが実際に投射部１２から投射される時間を取得し、当該時間情報（実際使用状況情報）と想定使用状況情報に基づいて、使用開始から所定時間経過後において投射部１２からの投射が想定された画像データが実際に投射部１２から投射されたタイミングとのずれの大きさに基づいて、使用の進捗状態を判定することができるようになっている。
【００７１】
また、プロジェクター２００は、進捗状態判定処理にて判定された使用の進捗状態を報知する進捗状態報知手段として、当該進捗状態を所定の色表示にて報知する複数のＬＥＤを有する進捗状態ＬＥＤ表示部（進捗状態色表示報知手段）２１０を備えている。
進捗状態ＬＥＤ表示部２１０は、例えば、プロジェクター本体１の前面に設けられており、使用の進捗状態に応じて、所定の色のＬＥＤを発光させるようになっている。即ち、所定時間経過後における実際の進捗状態が、想定された時間よりも進んでいる（例えば、３分早い）場合には、青色のＬＥＤ２１ｂを発光させ、ほぼ想定された時間通りの場合には、白色のＬＥＤ２１ｗを発光させ、想定された時間よりも遅い場合には遅れている時間に応じて黄色のＬＥＤ２１ｙや赤色のＬＥＤ２１ｒ等（例えば、２分遅い場合には黄色のＬＥＤ２１ｙを、５分以上遅い場合には赤色のＬＥＤ２１ｒ）を発光させるようになっている。
なお、進捗状態の判定に係る所定の画像データが実際に投射された時間と投射が想定された時間とのずれの大きさは、適宜任意に変更することができる。これにより、進捗状態の判定をより適正に、且つ、より柔軟に行うことができる魅力的なプロジェクター２００
を提供することができる。
【００７２】
次に、進捗状態報知動作について、研究発表モード処理を例示して説明する。
図９は、プロジェクター２００による研究発表モード処理に係る動作の一例を示すフロ一チャートである。
なお、進捗状態報知動作後に行われる残時間報知動作は、実施形態１に係る残時間報知動作とほぼ同様であり、その詳細な説明は省略する。
また、残時間の報知時期である制限使用時間の満了１０分前と５分前において投射部１２から投射される想定使用状況情報は、研究発表モード処理の実行に先立って、ＲＡＭ１９などに記憶されているものとする。
【００７３】
図９に示すように、ＣＰＵ１０の制御下にて、研究発表モード処理の実行が開始され、制限使用時間の満了１０分前における残時間報知動作が実行されると（ステップＳ２５２１〜Ｓ２５２４）、ＣＰＵ１０は、ＲＯＭ１８から進捗状態判定プログラム１８ｅを読み出してＲＡＭ１９に展開し、この進捗状態判定プログラム１８ｅの実行に基づいて、想定使用状況情報に係る画像データが実際に投射部１２から投射される時間を取得して、残時間が１０分前において投射部１２からの投射が想定された画像データが実際に投射部１２から投射されたタイミングとのずれの大きさに基づいて、使用の進捗状態を判定する進捗状態判定処理を行う（ステップＳ２５２５）。
続けて、ＣＰＵ１０は、進捗状態判定処理の判定結果に応じて、進捗状態ＬＥＤ表示部２１０を制御して、所定の色のＬＥＤを発光させる（ステップＳ２５２６）。
【００７４】
次に、ＣＰＵ１０の制御下にて、ステップＳ２５２１〜Ｓ２５２４と同様に、制限使用時間の満了５分前における残時間報知動作を実行した後（ステップＳ２５２７〜Ｓ２５３０）、ステップＳ２５２５と同様に、使用の進捗状態を判定する進捗状態判定処理を行う（ステップＳ２５３１）。
続けて、ＣＰＵ１０は、ステップＳ２５２６と同様に、進捗状態判定処理の判定結果に応じて、進捗状態ＬＥＤ表示部２１０を制御して、所定の色のＬＥＤを発光させる（ステップＳ２５３２）。
これにより、研究発表モード処理を終了する。
【００７５】
以上のように、実施形態２のプロジェクター２００によれば、講演モードや研究発表モードにおける使用の進捗状態を判定し、その進捗状態を報知することができるので、講演モードや研究発表モードにおいて、進捗状態に応じてユーザが適正にペース配分することができることとなって、当該講演モードや研究発表モードにおける時間管理をより適正に行うことができる。
また、ＣＰＵ１０が進捗状態ＬＥＤ表示部２１０を制御して、進捗状態を所定の色を発光するＬＥＤを用いて報知することができるので、ユーザに進捗状態をより容易に把握させることができるとともに、ユーザ以外の第三者にとっては、進捗状態を報知していることを分かり難くさせることができる。
【００７６】
なお、進捗状態の判定にあっては、講演や研究発表のタイムスケジュールに応じて投射される全ての画像データに係る想定使用状況情報を記憶しておいても良く、これにより、進捗状態の判定をより精細に行うことができる。
【００７７】
また、上記実施形態１及び実施形態２にあっては、残時間報知動作として、液晶表示部１５１に制限使用時間の満了の所定時間前に残時間を表示させるか、発音部１５２からチャイムを発音させるかの何れか一方を行うようにしたが、これらの両方を同時に行うようにしても良い。
さらに、液晶表示部１５１に残時間を表示させるようにしたが、これに限られるものではなく、例えば、制限使用時間の使用開始からの経過時間を表示させるようにしても良い。
【００７８】
＜変形例１＞
なお、上記実施形態１及び実施形態２におけるプロジェクター１００にあっては、上映モード処理にて、予め連続使用時間を設定した後、タイマ１４により計時される使用時間が、設定された連続使用時間を経過しているか否かに基づいて、当該上映モードによる使用が終了しているか否かを判定するようにしたが、これに限られるものではなく、上映モードによる使用が終了しているか否かを自動的に判定するようにしても良い。
即ち、本変形例１のプロジェクター３００にあっては、図１０に示すように、ＣＰＵ１０に、自動終了判定手段として、上映モードにて投射部１２から略同一の映像が所定時間投射されているか否かに基づいて、つまり、略同一の映像に係る略一定の画像信号が画像入力部１１に入力されているか否かに基づいて、当該上映モードによる使用が終了しているか否かを判定する自動終了判定処理に係る機能を実現させるための自動終了判定プログラム１８ｆがＲＯＭ１８に記憶されている。
これにより、上映モード処理において、ＣＰＵ１０の制御下にて、自動終了判定プログラム１８ｆの実行に基づいて自動終了判定処理を実行することができ、また、当該自動終了判定処理の判定結果に応じて電源供給停止動作を実行することができることとなる（図６参照）。
【００７９】
従って、変形例１のプロジェクター３００によれば、連続使用時間経過後にユーザ自身が所定の操作を行わずとも、所定のタイミングで自動的に電源供給停止動作を実行することができ、これにより、電源部１７から投射部１２に対する電源供給が停止されることとなる。従って、上映モードにおける時間管理をより適正に行うことができる。
また、上映モードにおける連続使用時間を予め入力する必要がないため、ユーザの操作負担をより軽減することができ、より魅力的なプロジェクター３００を提供することができる。
【００８０】
＜変形例２＞
また、上記実施形態１及び実施形態迄等のプロジェクター４００にあっては、制限使用時間の満了までの残時間を液晶表示部１５１に表示させるようにしたが、これに限られるものではなく、例えば、残時間を所定の色表示にて報知するようにしても良い。
即ち、図１１に示すように、プロジェクター４００の所定位置（例えば、本体の前面）に、残時間を所定の色表示にて報知する複数（例えば、３つ）のＬＥＤ４１、…を有する時間ＬＥＤ表示部（報知残時間色表示報知手段）４１０を設けるようにしても良い。例えぱ、残時間の長さに応じてＬＥＤ４１の発光数を増減させることにより、つまり、残時間が１５分となった場合には、３つ全てのＬＥＤ４１，…を発光させ、また、残時間が１０分となった場合には、３つのうちの２つのＬＥＤ４１，４１を発光させ、また、残時間が５分となった場合には、３つのうちの何れか一のＬＥＤ４１を発光させるようにすることにより、残時間の報知を適正に行うことができる。
従って、変形例２のプロジェクター４００によれば、制限使用時間の満了までの残時間を所定のＬＥＤ４１からの色表示にて報知することができるので、ユーザに残時間をより容易に把握させることができる。特に、残時間を数字にて報知する場合に比べて、当該数字を注視せずとも残時間の把握を簡便に行うことができる。
【００８１】
なお、上記変形例２では、ＬＥＤ４１の発光数により残時間を表示するようにしたが、これに限られるものではなく、例えば、残時間に応じて異なる色のＬＥＤを発光させるようにしても良い。
【００８２】
また、本発明は、上記実施形態に限定されることなく、本発明の趣旨を逸脱しない範囲において、種々の改良並びに設計の変更を行っても良い。
例えば、時間制限使用モードとして、講演モード及び研究発表モードを例示し、連続使用モードとして、上映モードを例示したが、これらは一例であり、これらに限られるものではない。
さらに、進捗状態ＬＥＤ表示部２１０や時間ＬＥＤ表示部４１０の配設位置は一例であり、上記実施形態に限定されるものではない。
【図面の簡単な説明】
【００８３】
【図１】本発明を適用した投射型映像表示装置の好適な一例として例示する実施形態１のプロジェクターを示す斜視図である。
【図２】図１のプロジェクターの要部構成を示すブロック図である。
【図３】図１のプロジェクターによるモード設定処理に係る動作の一例を示すフローチャートである。
【図４】図了のプロジェクターによる講演モード処理に係る動作の一例を示すフローチャートである。
【図５】図１のプロジェクターによる研究発表モード処理に係る動作の一例を示すフローチャートである。
【図６】図１のプロジェクターによる上映モード処理に係る動作の一例を示すフローチャートである。
【図７】本発明を適用した投射型映像表示装置の好適な一例として例示する実施形態２のプロジェクターを示す斜視図である。
【図８】図７のプロジェクターの要部構成を示すブロック図である。
【図９】図７のプロジェクターによる研究発表モード処理に係る動作の一例を示すフローチャートである。
【図１０】本発明に係る変形例１のプロジェクターの要部構成を示すブロック図である。
【図１１】本発明に係る変形例２のプロジェクターを示す斜視図である。
【符号の説明】
【００８４】
１００、２００、３００、４００  プロジェクター（投射型映像表示装置）
１２      投射部
１３      操作部
１３１    モード設定スイッチ（モード設定手段）
１３ａ    講演モード設定スイッチ（時間制限使用モード設定手段）
１３ｂ    研究発表モード設定スイッチ（時間制限使用モード設定手段）
１３ｃ    上映モード設定スイッチ（連続使用モード設定手段）
１３２    時間設定スイッチ（制限使用時間設定手段、連続使用時間設定手段）
１４      タイマ（時間管理動作実行手段、計時手段）
１５      残時間報知部（時間管理動作実行手段、残時間報知手段）
１５１    液晶表示部（残時間表示手段）
１５２    発音部（発音報知手段）
１７      電源部（時間管理動作実行手段、電源供給部）
１０      ＣＰＵ（時間管理動作実行手段、報知時期判定手段、残時間報知動作実行制御手段、進捗状態判定手段、終了時間判定手段、電源供給停止動作実行制御手段、自動終了判定手段）
２１０    進捗状態ＬＥＤ表示部（進捗状態報知手段、進捗状態色表示報知手段）
４１０    時間ＬＥＤ表示部（残時間色表示報知手段）
【図１】
2007178745.tif 000003
【図２】
2007178745.tif 000004
【図３】
2007178745.tif 000005
【図４】
2007178745.tif 000006
【図５】
2007178745.tif 000007
【図６】
2007178745.tif 000008
【図７】
2007178745.tif 000009
【図８】
2007178745.tif 000010
【図９】
2007178745.tif 000011
【図１０】
2007178745.tif 000012
【図１１】
2007178745.tif 000013